(57)【要約】【課題】バックラッシを大きくしても騒音を低減し、かつ、耐久性が高い歯車形軸継手を提供する。【解決手段】本発明の実施形態による歯車形軸継手１は、ピッチ円Ｐ上の歯厚Ｔがピッチ円Ｐ上の歯溝幅Ｗと同じである外歯車５と、外歯車５とかみ合う内歯車４とを備える。外歯車５の歯底５２と内歯車４の歯先４２との頂げきＣ１が、内歯車４の歯底４３と外歯車５の歯先５３との頂げきＣ２よりも小さく、かつ、外歯車５の歯面５１と内歯車４の歯面４１とのバックラッシＪの１／２未満である。【選択図】図３
2018105468.tif 000002
【特許請求の範囲】
【請求項１】
ピッチ円上の歯厚が前記ピッチ円上の歯溝幅と同じである外歯車と、
前記外歯車とかみ合う内歯車とを備え、
前記外歯車の歯底と前記内歯車の歯先との頂げきが、前記内歯車の歯底と前記外歯車の歯先との頂げきよりも小さく、かつ、前記外歯車の歯面と前記内歯車の歯面とのバックラッシの１／２未満である、歯車形軸継手。
【請求項２】
請求項１に記載の歯車形軸継手であって、
前記外歯車の歯丈ＨOとモジュールｍとの比が式（１）を満たし、歯底幅ＢOと前記モジュールｍとの比が式（２）を満たす、歯車形軸継手。
ＨO／ｍ＜２．２５        （１）
ＢO／ｍ＞０．４          （２）
【請求項３】
請求項２に記載の歯車形軸継手であって、
前記外歯車の歯底の両端は隅Ｒを含み、前記内歯車の歯先は面取りされた両端を含む、歯車形軸継手。
【請求項４】
請求項３に記載の歯車形軸継手であって、
前記内歯車の歯先厚ＴIと前記モジュールｍとの比が式（３）を満たす、歯車形軸継手。
ＴI／ｍ＞０．４          （３）
【発明の詳細な説明】
【技術分野】
【０００１】
本発明は、歯車形軸継手に関する。
【背景技術】
【０００２】
鉄道車両の駆動モータは、台車に取り付けられ、車軸に取り付けられた減速機に動力を伝達する。走行中、台車は揺動するため車軸に対して相対的に変位する。これにより、駆動モータの駆動軸は減速機の軸とずれる。このような軸同士のずれを許容しつつ、駆動モータの動力を車軸に円滑に伝達するため、鉄道車両では駆動軸と減速機の軸との間に歯車形軸継手が設けられる。
【０００３】
歯車形軸継手は、外筒と内筒とを備える。外筒は内歯車を有し、内筒は外歯車を有する。歯車形軸継手は、内歯車と外歯車とのかみ合いにより動力を伝達する。外歯車と内歯車との間には隙間（バックラッシ）があるため、内歯車の軸が外歯車の軸とずれても動力を伝達できる。換言すると、台車が車軸に対して相対的に変位しても動力を伝達できる。鉄道車両のサスペンション等の設計を考慮すれば、台車と車軸との相対的な変位が大きくても動力を伝達できる歯車形軸継手が好ましい。
【０００４】
一般に台車と車軸との相対的な変位の上限は、外歯車の歯面と内歯車の歯面との間のバックラッシの大きさで決まる。外歯車の歯面が内歯車の歯面に接触すると双方の歯車の動きが制限される。したがって、台車と車軸との相対的な変位の上限を大きくするため、歯車形軸継手のバックラッシは大きい方が好ましい。
【０００５】
ところで、歯車形軸継手を搭載した車両では、走行中に駆動モータが車軸に動力を伝達しないとき（以下、非動力伝達時ともいう）、騒音が発生することがある。駆動モータが車軸に動力を伝達しないときはたとえば、車両が惰性走行するときである。駆動モータが車軸に動力を伝達するとき、外筒の内歯車は内筒の外歯車と接触し、負荷を受ける。そのため、外筒の動きは制限される。一方、非動力伝達時、外筒の内歯車は内筒の外歯車から負荷を受けない。外筒の動きは制限されないため、バックラッシの分動く（振れる）。外筒が振れると、騒音が発生しやすい。
【０００６】
要するに、台車と車軸との変位の上限を大きくするためバックラッシを大きくする必要がある。しかしながら、バックラッシを大きくすると、非動力伝達時に外筒が振れ、騒音が発生しやすい。
【０００７】
外筒の振れを抑制し騒音を低減する歯車形軸継手は、特開２００４−２１１７８９号公報（特許文献１）、実開平６−７３４６０号公報（特許文献２）及び特開昭４８−５０１４２号公報（特許文献３）に開示されている。
【０００８】
特許文献１に開示された歯車形軸継手では、外筒の内歯車の歯底と内筒の外歯車の歯先との間の頂げきは、外歯車の歯面と内歯車の歯面との間のバックラッシの１／２以下である。この歯車形軸継手では、頂げきがバックラッシより小さい。そのため、非動力伝達時に外筒が振れると、歯面同士の接触よりも先に内歯車の歯底が外歯車の歯先と接触する。また、内歯車の歯底の両端が窪みを有する。これにより、内歯車の歯底が外歯車の歯先と接触しても、外歯車の歯先の角は内歯車の歯底の端と接触しないため、歯車は損傷しにくい。したがって、バックラッシが大きくても外筒の振れが抑制される、と特許文献１には記載されている。
【０００９】
特許文献２に開示された歯車形軸継手は、内筒の外歯車の歯先に突起を有する。内筒が外筒に対して変位すると、外歯車の突起が内歯車の歯底に接触する。これにより外筒の振れが抑制される、と特許文献２には記載されている。
【００１０】
特許文献３に開示された歯車形軸継手は、内筒の外歯車の歯丈が歯車軸方向で異なる。歯丈は、歯車軸方向の中央で最も高い。すなわち、歯車軸方向の中央の頂げきが小さいため、非動力伝達時に外筒の振れを抑制できる、と特許文献３には記載されている。
【先行技術文献】
【特許文献】
【００１１】
【特許文献１】特開２００４−２１１７８９号公報
【特許文献２】実開平６−７３４６０号公報
【特許文献３】特開昭４８−５０１４２号公報
【特許文献４】英国特許第７３１１０９号明細書
【発明の概要】
【発明が解決しようとする課題】
【００１２】
しかしながら、特許文献１の歯車形軸継手では、内歯車の歯底に窪みが成形される。この窪みを成形するには、歯溝を加工できる特殊な歯車加工工具を使用する必要があり、工具費用が高価となる。また、内歯車の歯厚が小さく、内歯車の耐久性は高くない。
【００１３】
特許文献２の歯車形軸継手は、外歯車の歯先の突起が内歯車の歯底と接触する。特許文献３の歯車形軸継手は、外歯車の歯先の中央が内歯車の歯底と接触する。要するに、特許文献２及び特許文献３の歯車形軸継手はいずれも、外歯車の歯先と内歯車の歯底との接触面積が小さい。したがって、外歯車の歯先と内歯車の歯底との接触により、双方の歯車が受ける応力が大きい。そのため、歯車形軸継手の耐久性は高くない。
【００１４】
本発明の目的は、バックラッシを大きくしても非動力伝達時の騒音を低減し、かつ、耐久性が高い歯車形軸継手を提供することである。
【課題を解決するための手段】
【００１５】
本発明の実施形態による歯車形軸継手は、ピッチ円上の歯厚がピッチ円上の歯溝幅と同じである外歯車と、外歯車とかみ合う内歯車とを備える。外歯車の歯底と内歯車の歯先との頂げきは、内歯車の歯底と外歯車の歯先との頂げきよりも小さく、かつ、外歯車の歯面と内歯車の歯面とのバックラッシの１／２未満である。
【発明の効果】
【００１６】
本発明による歯車形軸継手は、バックラッシを大きくしても非動力伝達時の騒音を低減し、かつ、耐久性が高い。
【図面の簡単な説明】
【００１７】
【図１】図１は、本実施形態の歯車形軸継手の軸方向の断面図である。
【図２】図２は、図１中の歯車形軸継手のＩＩ−ＩＩ線での断面図である。
【図３】図３は、図２中の外歯車及び内歯車の一部の拡大図である。
【図４】図４は、図３と異なる他の外歯車及び内歯車の一部の拡大図である。
【発明を実施するための形態】
【００１８】
本実施形態による歯車形軸継手は、ピッチ円上の歯厚がピッチ円上の歯溝幅と同じである外歯車と、外歯車とかみ合う内歯車とを備える。外歯車の歯底と内歯車の歯先との頂げきは、内歯車の歯底と外歯車の歯先との頂げきよりも小さく、かつ、外歯車の歯面と内歯車の歯面とのバックラッシの１／２未満である。
【００１９】
本実施形態の歯車形軸継手の外歯車の歯底と内歯車の歯先との頂げきは、バックラッシよりも小さい。したがって、非動力伝達時、外歯車及び内歯車の歯面同士が接触するよりも先に、外歯車の歯底が内歯車の歯先と接触する。これにより、外筒の振れが抑制されるため、騒音が低減される。また、外歯車の歯底と内歯車の歯先との頂げきは、内歯車の歯底と外歯車の歯先との頂げきよりも小さい。そのため、外筒が振れると内歯車の歯先が外歯車の歯底と接触するため、外歯車の歯先は内歯車の歯底と接触しない。したがって、外歯車の耐久性が高い。
【００２０】
好ましくは、外歯車の歯丈ＨOとモジュールｍとの比が式（１）を満たし、外歯車の歯底幅ＢOとモジュールｍとの比が式（２）を満たす。
ＨO／ｍ＜２．２５        （１）
ＢO／ｍ＞０．４          （２）
【００２１】
外歯車の歯丈が式（１）を満たし、外歯車の歯底幅が式（２）を満たす。すなわち、頂げきを小さくするため、外歯車の歯底が内歯車に近づく。したがって、内歯車の歯先厚が小さくならない。その結果、外歯車の歯底と内歯車の歯先との接触面積が広い。これにより、外歯車及び内歯車の耐久性が高まる。
【００２２】
好ましくは、外歯車の歯底の両端は隅Ｒを含む。内歯車の歯先は、面取りされた両端を含む。この場合、外歯車の歯底の両端の応力集中が緩和される。また、内歯車の歯先の両端が外歯車の歯底の両端に干渉しにくい。そのため、外歯車及び内歯車の耐久性がさらに高まる。
【００２３】
上記面取りされた両端を含む内歯車において、内歯車の歯先厚ＴIとモジュールｍとの比が式（３）を満たすのが好ましい。式（３）を満たせば、内歯車の歯先厚が大きい。そのため、外歯車の歯底と内歯車の歯先との接触面積がさらに広くなり、外歯車及び内歯車の耐久性がさらに高まる。
ＴI／ｍ＞０．４          （３）
【００２４】
以下、図面を参照して、本発明の実施の形態を詳しく説明する。図中同一又は相当部分には同一符号を付してその説明は繰り返さない。
【００２５】
図１は、本実施形態の歯車形軸継手の軸方向の断面図である。図２は、図１中の歯車形軸継手のＩＩ−ＩＩ線での断面図である。図１及び図２を参照して、歯車形軸継手１は、２組の外筒２、２Ａと内筒３、３Ａとを備える。外筒２は内歯車４を有する。内筒３は外歯車５を有する。外歯車５は、内歯車４とかみ合う。外筒２は、もう一つの外筒２Ａとボルト等で締結される。外筒２Ａは内歯車４Ａを有する。外筒２Ａの内歯車４Ａは、もう一つの内筒３Ａが有する外歯車５Ａとかみ合う。鉄道車両の場合、一方の内筒（たとえば内筒３）は台車の駆動用モータに接続され、他方の内筒（たとえば内筒３Ａ）は車軸の減速機に接続される。これにより、歯車形軸継手１は、駆動モータの動力を車軸に伝達できる。
【００２６】
歯車形軸継手１は、外歯車５の歯面５１と内歯車４の歯面４１との間に隙間（バックラッシ）Ｊを有する。歯車形軸継手１が鉄道車両に搭載された場合、台車の揺動によって台車及び車軸の位置関係は相対的に変位する。換言すると、内筒３の軸心が内筒３Ａの軸心からずれる（初期位置から変位する）。バックラッシＪを設けることにより、軸心がずれても外歯車と内歯車とが、かみ合いを維持できる。したがって、歯車形軸継手１は、内筒３の軸心が内筒３Ａの軸心からずれても動力を伝達できる。
【００２７】
バックラッシＪが大きければ、内筒３と内筒３Ａとの軸心のずれが大きくても動力を伝達できる。したがって、バックラッシＪは大きい方が好ましい。しかしながら、バックラッシＪが大きければ、駆動モータが内筒に動力を伝達しないとき（非動力伝達時）、騒音が発生しやすい。上述したように、非動力伝達時、外歯車５の歯面５１は内歯車４の歯面４１に負荷を与えない。したがって、外筒２及び２ＡはバックラッシＪの分動く（振れる）ことができる。外筒２及び２Ａの振れが大きければ騒音が発生しやすい。
【００２８】
そこで、本実施形態の歯車形軸継手１では、バックラッシＪが大きくても騒音を低減するために、頂げきＣ１がバックラッシＪの１／２よりも小さい。以下、外筒２の内歯車４及び内筒３の外歯車５を例に説明するが、外筒２Ａの内歯車４Ａ及び内筒３Ａの外歯車５Ａについても同様である。
【００２９】
図３は、図２中の外歯車及び内歯車の一部の拡大図である。図３を参照して、本実施形態の歯車形軸継手１の頂げきＣ１は、バックラッシＪの１／２未満である。頂げきＣ１は、外歯車５の歯底５２と内歯車４の歯先４２との隙間をいう。非動力伝達時に外筒２が振れると、外歯車５の歯面５１が内歯車４の歯面４１と接触するよりも先に、外歯車５の歯底５２が内歯車４の歯先４２と接触する。すなわち、外筒２の動きは、頂げきＣ１により制限される。したがって、バックラッシＪを大きくしても、外筒２の振れは抑制される。騒音をより有効に低減するためには、頂げきＣ１は０．１５ｍｍ以下が好ましい。
【００３０】
頂げきＣ１を小さくするには、外歯車５の歯底５２を内歯車４の歯先４２に近づけるか、内歯車４の歯先４２を外歯車５の歯底５２に近づけるかの２通りがある。図３に示すように、内歯車４が平歯車である場合、内歯車４の歯の厚さは歯元から歯先に向かって小さくなる。つまり、内歯車４はテーパ形状を有する。そのため、歯元の位置が一定であれば、内歯車４の歯先４２が外歯車５の歯底５２に近づく程、内歯車４の歯先４２の厚さＴIが小さくなる。歯先厚ＴIが小さい程、外歯車５の歯底５２と内歯車４の歯先４２との接触面積が小さい。そのため、外歯車５の歯底５２と内歯車４の歯先４２との接触部分に応力が集中して大きな負荷がかかる。歯車の耐久性を考慮すれば、外歯車５の歯底５２及び内歯車４の歯先４２が受ける応力は小さい方が好ましい。
【００３１】
そこで、本実施形態による歯車形軸継手１では、外歯車５の歯底５２を内歯車４の歯先４２に近づける。そのため、外歯車５の歯底５２と内歯車４の歯先４２との頂げきＣ１が、内歯車４の歯底４３と外歯車５の歯先５３との頂げきＣ２よりも小さい。そのため、外筒が振れると内歯車４の歯先４２が外歯車５の歯底５２と先に接触するため、外歯車５の歯先５３は内歯車４の歯底４３と接触しない。したがって、外歯車５が損傷しにくいため、外歯車５の耐久性が高い。また、外歯車５の歯底５２を内歯車４の歯先４２に近づけるため、内歯車４の歯先４２の厚さＴIは小さくならない。この場合、外歯車５の歯底５２と内歯車４の歯先４２との接触面積が大きい。したがって、外歯車５の歯底５２及び内歯車４の歯先４２が受ける応力が小さいため、歯車の耐久性が高まる。
【００３２】
本実施形態の外歯車５の歯底５２は、従来の外歯車の歯底５２０（図３中の破線）と比較して、内歯車４に近い。そのため、外歯車５の歯丈ＨOが低い。具体的には、外歯車の歯丈ＨOはモジュールｍに対して下記の式（１）を満たすのが好ましい。
ＨO／ｍ＜２．２５  （１）
【００３３】
ＨO／ｍが２．２５以上であれば、外歯車５の歯丈ＨOが高いため、頂げきＣ１が大きい。そのため、非動力伝達時に外筒２の振れが抑制されにくい。ＨO／ｍが２．２５未満であれば、歯車を加工する際に加工量が少なく、外歯車の生産性が高い。外歯車の歯丈ＨOは、外歯車５の歯先５３から歯底５２までの距離をいう。本実施形態の外歯車のモジュールｍは、ｍ＝ｄ／ｚで算出される。ここで、ｄは外歯車のピッチ円直径であり（図２参照）、ｚは外歯車の歯数である。なお、本実施形態の内歯車のモジュールは、外歯車のモジュールｍと同じである。
【００３４】
本実施形態の歯車形軸継手１では、外歯車５の歯底５２を内歯車４に近づけるため、従来の外歯車の歯底幅ＢＰと比較して、外歯車５の歯底幅ＢOが広い。具体的には、外歯車５の歯底幅ＢOはモジュールｍに対して下記の式（２）を満たすのが好ましい。
ＢO／ｍ＞０．４  （２）
【００３５】
ＢO／ｍが０．４以下であれば、後述するように外歯車５の歯底５２の両端が隅Ｒを含む場合、外歯車５の歯底幅ＢOが短い。そのため、外歯車５の歯底５２と内歯車４の歯先４２との接触面積が小さい。したがって、外歯車５の歯底５２及び内歯車４の歯先４２が受ける応力が低減されにくい。外歯車５の歯底幅ＢOは、歯車の軸方向と垂直な断面において、歯底５２の両端間の距離をいう。
【００３６】
本実施形態の外歯車５の歯厚Ｔは、歯溝の幅Ｗと同じである。より具体的には、本実施形態の外歯車５の歯厚Ｔの公称寸法は、歯溝の幅Ｗの公称寸法と同じである。これにより、一般的な歯車加工工具によって外歯車を加工できる。歯車加工工具はたとえば、ホブである。したがって、外歯車の生産効率が高い。ここで、外歯車５の歯厚Ｔ及び歯溝の幅Ｗは、外歯車５のピッチ円Ｐ上での寸法である。また、外歯車５の歯厚Ｔは、外歯車５の１つの歯の両歯面の間にあるピッチ円Ｐの弧の長さを意味する。歯溝の幅Ｗは、外歯車５の隣接する２つの歯の間のピッチ円Ｐの弧の長さを意味する（図２参照）。要するに、外歯車５の歯は等ピッチである。
【００３７】
バックラッシＪは、外歯車５の歯面を削って設定されてもよいし、内歯車４の歯面を削って設定されてもよい。しかしながら、歯面を削りすぎれば、歯車の強度が低下する。したがって、バックラッシＪは、外歯車５及び内歯車４の強度を考慮して設定される。本実施形態の歯車形軸継手１では、非動力伝達時の外筒２の振れは、頂げきＣ１の大きさに依存する。したがって、歯車の強度が保たれる範囲で、バックラッシＪを大きくできる。これにより、２つの内筒３及び３Ａの軸心のずれの許容範囲が広くなる（図１参照）。
【００３８】
上述したように本実施形態の歯車形軸継手１の頂げきＣ１は、バックラッシＪの１／２未満である。これにより、バックラッシＪを大きくしても、非動力伝達時に外筒２の振れが制限されるため、騒音が低減される。頂げきＣ１を小さくするため、外歯車５の歯底５２を内歯車４の歯先４２に近づける。そのため、内歯車４の歯先厚ＴIが小さくならない。これにより、外歯車５の歯底５２と内歯車４の歯先４２との接触面積が大きいため、外歯車５及び内歯車４の耐久性が高い。
【００３９】
図４は、図３と異なる他の外歯車及び内歯車の一部の拡大図である。図４を参照して、外歯車５の歯底５２の両端が隅Ｒを含む場合、歯底幅ＢOは隅Ｒの端部間の距離をいう。内歯車４の歯先４２が面取りされた両端を有する場合、歯先厚ＴIは面取り端部間の距離をいう。
【００４０】
上述の歯車形軸継手１において、歯車の軸方向と垂直な断面において、外歯車５の歯底５２の両端は隅Ｒを含むのが好ましい。また、内歯車４の歯先４２は、面取りされた両端を有するのが好ましい。外歯車５の歯面５１に荷重が負荷されたとき、外歯車５の歯底５２の両端には応力集中が生じる。そのため、外歯車５の歯底５２の両端は損傷しやすい。しかしながら、外歯車５の歯底５２の両端に隅Ｒが施されれば、応力集中が緩和される。したがって、外歯車５の耐久性が高まる。応力集中を緩和するため、隅Ｒは大きい方が好ましい。
【００４１】
内歯車４の歯先４２の両端が面取りされていない場合、内歯車４の歯先４２の両端が外歯車５と接触すると、外歯車５の歯底５２の両端には集中荷重が負荷される。そのため、外歯車５の歯底５２の両端は、内歯車４の歯先４２の端が当たり（角当たり）損傷しやすい。内歯車４の歯先４２の両端が面取りされれば、外歯車５の歯底５２に接触しない。したがって、外歯車５の耐久性が高まる。
【００４２】
外歯車５の歯底５２の両端の隅Ｒが大きければ、歯底幅ＢOが小さくなる。しかしながら、本実施形態の外歯車５の歯底５２は、内歯車４の歯先４２に近いため広い。したがって、歯底５２の両端が隅Ｒを含んでいても歯底幅ＢOが大きく、十分な接触面積が確保される。
【００４３】
内歯車４の歯先４２の両端の面取りは、外歯車５の歯底５２の両端の隅Ｒよりも大きい方が好ましい。この場合、内歯車４の歯先４２の両端は、外歯車５の歯底５２の両端に接触しにくい。したがって、外歯車５及び内歯車４の耐久性はさらに高まる。
【００４４】
内歯車４の歯先４２が面取りされた両端を含む場合、内歯車４の歯先厚ＴIとモジュールｍとの比は、下記の式（３）を満たすのが好ましい。
ＴI／ｍ＞０．４        （３）
【００４５】
ＴI／ｍが０．４よりも小さければ、内歯車４の歯先厚ＴIが小さいため、外歯車５の歯底５２と内歯車４の歯先４２との接触面積が小さい。そのため、外歯車５の歯底５２と内歯車４の歯先４２との接触部分の応力が大きいため、外歯車５及び内歯車４の耐久性は高くない。
【００４６】
歯車形軸継手では、歯車の摩耗を抑制するため歯面に潤滑油が塗布される。潤滑油はたとえば、グリースである。内歯車４の歯先４２の両端を面取りした場合、潤滑油が外歯車５の歯底５２と内歯車４の歯先４２との間に流入しやすい。上述したように、本実施形態の歯車形軸継手１では、外歯車５の歯底５２と内歯車４の歯先４２とが接触する。外歯車５の歯底５２と内歯車４の歯先４２との接触面に潤滑油が流入すると、上述の効果に加えて、さらに歯車の耐久性が高まる。内歯車４の歯先４２の両端が面取りされると、面取りされた空間ＳＰに潤滑剤が溜まる。溜まった潤滑剤は、接触面の近傍であるため、接触面に流入しやすい。したがって、外歯車５及び内歯車４の接触面の摩耗が抑制され、歯車の耐久性がさらに高まる。
【００４７】
上述した外歯車及び内歯車の形態は、歯車形軸継手を構成する２組の外歯車及び内歯車の組のうち、一方の組に適用されてもよいし、両方の組に適用されてもよい。
【００４８】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【００４９】
１  歯車形軸継手
２  外筒
３  内筒
４  内歯車
５  外歯車
４１、５１  歯面
４２  内歯車の歯先
４３  内歯車の歯底
５２  外歯車の歯底
５３  外歯車の歯先
ＢO  外歯車の歯底幅
Ｃ１  外歯車の歯底と内歯車の歯先との頂げき
Ｃ２  内歯車の歯底と外歯車の歯先との頂げき
ＨO  外歯車の歯丈
Ｊ  バックラッシ
Ｐ  外歯車のピッチ円
Ｔ  歯厚
ＴI  内歯車の歯先厚
Ｗ  歯溝の幅
【図１】
2018105468.tif 000003
【図２】
2018105468.tif 000004
【図３】
2018105468.tif 000005
【図４】
2018105468.tif 000006